(57)【特許請求の範囲】
【請求項１】
透過型の液晶パネルと、
前記液晶パネルを照明するバックライトパネルと、
前記バックライトパネルへの給電及び前記液晶パネルへの表示信号の供給に供される回路基板と、
前記液晶パネルと前記回路基板間に介在され、前記回路基板から前記液晶パネルに表示信号が供給できるように電気的に接続する導電ゴムコネクタを備える液晶表示装置であって、
前記液晶パネルに配線パターンを設け、
前記バックライトパネルと前記回路基板間が、前記配線パターンを経由して前記導電ゴムコネクタにより電気的に接続されるように構成されている、
ことを特徴とする液晶表示装置。
【請求項２】
表面と裏面を有する透過型の液晶パネルと、
前記液晶パネルの裏面の縁部に、該縁部の延在方向に間隔をおいて設けられた多数の表示電極用端子と、
給電用ランドおよび液晶表示用ランドを有する回路基板と、
前記液晶パネルの裏面に対向して前記回路基板上に配置され、前記液晶パネルを裏面側から照明する給電端子付きのバックライトパネルと、
前記液晶パネルの裏面の縁部に沿って延在し、前記多数の表示電極用端子と前記回路基板間に介在される導電ゴムコネクタを備える液晶表示装置であって、
前記液晶パネルの裏面の縁部に設けられ前記給電用端子と相対向する第１給電用中継端子と、
前記液晶パネルの裏面の縁部で前記第１給電用中継端子から離れた箇所に設けられ前記給電用ランドに相対向する第２給電用中継端子と、
前記液晶パネルに設けられ前記第１及び第２給電用中継端子間を接続する配線パターンとを備え、
前記液晶パネルの前記表示電極用端子と前記液晶表示用ランド間、前記バックライトパネルの前記給電用端子と前記第１給電用中継端子間、及び前記回路基板の前記給電用ランドと前記第２給電用中継端子間が、前記導電ゴムコネクタにより電気的に接続されるように構成されている、
ことを特徴とする液晶表示装置。
【請求項３】
前記液晶パネルを前記回路基板上で保持するホルダーを備えることを特徴とする請求項２記載の液晶表示装置。
【請求項４】
前記ホルダーは、前記液晶パネルの外形形状に対応する形状の枠体から構成されていることを特徴とする請求項３記載の液晶表示装置。
【請求項５】
前記枠体は、前記導電ゴムコネクタを前記液晶パネル及び前記回路基板に対して所定の位置に位置決めする部材を備えることを特徴とする請求項４記載の液晶表示装置。
【請求項６】
前記液晶パネルを前記導電ゴムコネクタが圧縮される方向に押さえる押え枠を備えることを特徴とする請求項２乃至５の何れか１項記載の液晶表示装置。
【発明の詳細な説明】
【０００１】
【発明の属する技術分野】
本発明は、バックライトパネルを内蔵する透過型の液晶パネル及び液晶表示装置に関し、特にバックライトパネルにＥＬ（エレクトロルミネセンス）を使用し、このＥＬからなるバックライトパネルと回路基板との電気的接続構造の改良及び液晶パネルの改良に関する。
【０００２】
【従来の技術】
従来、カメラ等に組み込まれるバックライトパネル内蔵の透過型液晶表示装置は、液晶パネルと、回路基板と、ＥＬからなるバックライトパネルとを備え、液晶パネルはホルダーに収容されて回路基板上に配置され、バックライトパネルは液晶パネルの下面に対向して上記ホルダー内に配置される。また、液晶パネルの裏面縁部に設けられた表示電極用端子と、これに対向して回路基板に設けられた液晶表示用ランド間には、この両者間を電気的に接続するバー状の導電ゴムコネクタ（導電ゴム層と電気絶縁ゴム層を長手方向に多数積層してなるゼブラ構造のコネクタ）が介在され、さらに、バックライトパネルにホルダー外へ突出するようにして設けられた給電用端子と、これに対向して回路基板に設けられたＥＬ用ランド間には、この両者間を電気的に接続する専用の導電ゴムコネクタ（ゼブラ構造のコネクタ）またはコイルバネが介在されている。そして、液晶パネルの押え枠をホルダー及び回路基板ごとビスでシャーシ等に締め付け固定し、これにより、液晶パネルと回路基板間を専用の導電ゴムコネクタで電気的に接続し、また、バックライトパネルと回路基板間を専用の導電ゴムコネクタまたはコイルバネで電気的に接続している。
【０００３】
【発明が解決しようとする課題】
しかしながら、上記のような従来の液晶表示装置におけるバックライトパネルと回路基板間の電気的接続には、専用の導電ゴムコネクタまたはコイルバネ等を使用しているため、これら導電ゴムコネクタまたはコイルバネ等を配置するための専用のスペースが必要になり、その分、バックライトパネル接続構造が複雑、かつ大型化するとともに液晶表示装置自体も厚くなり、しかも部品点数が増加してコスト高になる問題がある。
また、従来におけるバックライトパネルと回路基板との接続にリード線を用いる方式のものもあるが、この方式では半田付けのためのスペースが必要となり、上記の場合と同様な問題が生じることになる。
【０００４】
本発明は上記のような点に鑑みなされたもので、本発明の第１の目的は、回路配線用基板として液晶パネルを提供することにある。
本発明の第２の目的は、バックライトパネルと回路基板の接続に要する部品の省部品化、低コスト化を可能にするとともに、小型・薄型化を容易に実現できる液晶表示装置を提供することにある。
【０００６】
【課題を解決するための手段】
上記目的を達成するために本発明は、透過型の液晶パネルと、前記液晶パネルを照明するバックライトパネルと、前記バックライトパネルへの給電及び前記液晶パネルへの表示信号の供給に供される回路基板と、前記液晶パネルと前記回路基板間に介在され、前記回路基板から前記液晶パネルに表示信号が供給できるように電気的に接続する導電ゴムコネクタを備える液晶表示装置であって、前記液晶パネルに配線パターンを設け、前記バックライトパネルと前記回路基板間が、前記配線パターンを経由して前記導電ゴムコネクタにより電気的に接続されるように構成されていることを特徴とする。
また、本発明は、表面と裏面を有する透過型の液晶パネルと、前記液晶パネルの裏面の縁部に、該縁部の延在方向に間隔をおいて設けられた多数の表示電極用端子と、給電用ランドおよび液晶表示用ランドを有する回路基板と、前記液晶パネルの裏面に対向して前記回路基板上に配置され、前記液晶パネルを裏面側から照明する給電端子付きのバックライトパネルと、前記液晶パネルの裏面の縁部に沿って延在し、前記多数の表示電極用端子と前記回路基板間に介在される導電ゴムコネクタを備える液晶表示装置であって、前記液晶パネルの裏面の縁部に設けられ前記給電用端子と相対向する第１給電用中継端子と、前記液晶パネルの裏面の縁部に前記第１給電用中継端子から離して設けられ前記給電用ランドに相対向する第２給電用中継端子と、前記液晶パネルに設けられ前記第１及び第２給電用中継端子間を接続する配線パターンとを備え、前記液晶パネルの表示電極用端子と前記液晶表示用ランド間、前記バックライトパネルの給電用端子と前記第１給電用中継端子間、及び前記回路基板の給電用ランドと前記第２給電用中継端子間が、前記導電ゴムコネクタにより電気的に接続されるように構成されていることを特徴とする。
本発明においては、バックライトパネルと回路基板間が、液晶パネルのパネル本体に設けられている配線パターンを介して導電ゴムコネクタにより電気的に接続されるから、バックライトパネルと回路基板の接続に要する部品の省部品化及び低コスト化が可能になるとともに、小型・薄型化を容易に実現できる。
【０００７】
【発明の実施の形態】
図１及び図２により本発明にかかる液晶表示装置及び液晶パネルの実施の形態について説明する。
図１は本発明の実施の形態における液晶表示装置の分解斜視図、図２は本発明の実施の形態における液晶表示装置の縦断側面図である。
図１及び図２において、液晶表示装置１２は、透過型の液晶パネル１４、この液晶パネル１４を下面側から照明するバックライトパネル１６、液晶パネル１４及びバックライトパネル１６の回路基板１８、液晶パネル１４のホルダー２０、液晶パネル１４の押え枠２２及び一対の導電ゴムコネクタ２４を備える。
【０００８】
前記液晶パネル１４は、図１及び図２に示すように、透明な裏面板Ｂ及び偏光板Ｃからなる長方形状のパネル本体１４Ａを有する。この液晶パネル１４の表面には各種のキャラクタ表示を行う透明なパターン電極１４１が形成され、さらに、液晶パネル１４の短尺方向の両縁部に位置する裏面箇所には、パターン電極１４１に対応する多数の表示電極用端子１４２が液晶パネル１４の長尺方向に沿い一定間隔で形成されている。
また、液晶パネル１４の一方の縁部に位置する裏面箇所には、前記バックライトパネル１６に設けられた給電用端子１６１に相対向する第１給電用中継端子１４３が液晶パネル１４の長尺方向に沿って設けられ、液晶パネル１４の他方の縁部に位置する裏面箇所には、前記回路基板１８に設けられた給電用ランド１８１に相対向する第２給電用中継端子１４４が液晶パネル１４の長尺方向に沿って設けられており、さらに、第１給電用中継端子１４３と第２給電用中継端子１４４間を接続する透明な配線パターン１４５が設けられている。
なお、配線パターン１４５は、押え枠２２で覆われ、液晶による表示に影響しない部分であれば、透明でなくてもよい。
【０００９】
前記バックライトパネル１６は、図１に示すように、液晶パネル１４の長尺方向の長さに相当する長さと、液晶パネル１４の短尺方向の幅より狭い表示領域の幅に相当した幅を有する長方形状のＥＬから構成され、このバックライトパネル１６の液晶パネル１４の長尺方向の一端部寄りである前記第１給電用中継端子１４３と対向する箇所には、液晶パネル１４の幅方向に突出する端子設置片１６２が設けられ、この端子設置片１６２の上面には前記給電用端子１６１が形成されている。
【００１０】
前記回路基板１８は、この回路基板１８から液晶パネル１４への表示信号の供給及び回路基板１８からバックライトパネル１６への給電を行うためのもので、液晶パネル１４の両表示電極用端子１４２と相対向する回路基板１８の上面箇所には、図１に示すように、液晶パネル１４の表示電極用端子１４２と１対１の関係で対向するように配列された液晶表示用ランド１８２が設けられている。さらに、一方の液晶表示用ランド１８２の延長線上において前記第２給電用中継端子１４４と対向する回路基板１８の上面箇所には給電用ランド１８１が設けられている。
【００１１】
前記ホルダー２０は、液晶パネル１４及び導電ゴムコネクタ２４を回路基板１８上に位置決め保持するためのもので、図１に示すように、液晶パネル１４の外形形状に対応する長方形状の枠体２０１から構成され、この枠体２０１の四隅箇所には、前記液晶パネル１４及び導電ゴムコネクタ２４を回路基板１８に対して所定の位置に位置決めする部材２０２が枠体２０１の短尺片２０１Ａから内方に向け突出するように設けられている。
【００１２】
前記押え枠２２は、液晶パネル１４を導電ゴムコネクタ２４が圧縮される方向に押されるとともに、バックライトパネル１６、回路基板１８及びホルダー２０を図２に示すシャーシ２６に保持するもので、図１に示すように、前記枠体２０１に上面方向から係合し得る長方形状を呈しており、この押え枠２２には、液晶パネル１４のパターン電極１４１の領域を露出させる表示窓２２１が形成されている。また、押え枠２２には４個の取付片２２２が設けられている。
【００１３】
前記導電ゴムコネクタ２４は、液晶パネル１４の表示電極用端子１４２と回路基板１８の液晶表示用ランド１８２間、バックライトパネル１６の給電用端子１６１と液晶パネル１４の第１給電用中継端子１４３間、及び回路基板１８の給電用ランド１８１と液晶パネル１４の第２給電用中継端子１４４間を電気的に接続するものであり、図１に示すように、導電ゴム層２４１と電気絶縁ゴム層２４２を交互に多数積層してなるゼブラ構造を呈し、液晶パネル１４の縁部下面に設けられた表示電極用端子１４２と第１給電用中継端子１４３または第２給電用中継端子１４４の配列方向に沿い延在する所定の長さを有している。
【００１４】
このような液晶表示装置をカメラ等の機器に組み付ける場合は、図２に示す機器のシャーシ２６上に回路基板１８を設置し、この回路基板１８上にホルダー２０を載置する。次に、バックライトパネル１６を、その長手方向の両端がホルダー２０の短尺方向の位置決め部材２０２間に位置されるようにして、バックライトパネル１６を回路基板１８上に載せる。次いで、一対の導電ゴムコネクタ２４をホルダー２０内にその長手方向の内側面に沿ってそれぞれセットし、かつ、この導電ゴムコネクタ２４の両端を長手方向の内側面とこれに対向する位置決め部材２０２間に挿入して、導電ゴムコネクタ２４をホルダー２０に固定する。この時、ホルダー２０を含む導電ゴムコネクタ２４は、その導電ゴム層２４１の部分が回路基板１８の液晶表示用ランド１８２及び給電用ランド１８１と当接するように、または回路基板１８の液晶表示用ランド１８２及びバックライトパネル１６の給電用端子１６１と当接するように配置される。
【００１５】
次に、液晶パネル１４をホルダー２０内に上方から挿入し、このホルダー２０の上方から押え枠２２を載せて、押え枠２２の外周縁部２２３をホルダー２０の外周に係合する。この状態で、押え枠２２の各取付片２２２に挿通されたビス２８を回路基板１８に貫通させてシャーシ２６に螺合し締め付けることにより、液晶パネル１４、バックライトパネル１６、回路基板１８及びホルダー２０はシャーシ２６に固定される。
【００１６】
また、かかる状態では、導電ゴムコネクタ２４が圧縮方向に押圧されるため、液晶パネル１４の表示電極用端子１４２と回路基板１８の液晶表示用ランド１８２間、バックライトパネル１６の給電用端子１６１と液晶パネル１４の第１給電用中継端子１４３間、及び回路基板１８の給電用ランド１８１と液晶パネル１４の第２給電用中継端子１４４間は導電ゴムコネクタ２４により電気的に接続される。そして、回路基板１８の給電用ランド１８１に図示省略のインバータから供給される電力は、給電用ランド１８１−導電ゴムコネクタ２４−第２給電用中継端子１４４−配線パターン１４５−第１給電用中継端子１４３−導電ゴムコネクタ２４−給電用端子１６１を通してバックライトパネル１６に供給される。これにより、バックライトパネル１６を点灯することが可能になる。
【００１７】
このような本発明の実施の形態によれば、ＥＬからなるバックライトパネル１６を内蔵する透過型の液晶表示装置において、液晶パネル１４に第１及び第２給電用中継端子１４３、１４４と、この第１及び第２給電用中継端子１４３、１４４間を接続する透明な配線パターン１４５をそれぞれ設け、この第１及び第２給電用中継端子１４３、１４４と配線パターン１４５、及び液晶パネル１４と回路基板１８間を電気的に接続する導電ゴムコネクタ２４の一部を利用して、バックライトパネル１６と回路基板１８間を電気的に接続する構成にしたので、バックライトパネル１６と回路基板１８の接続に要する部品の省部品化及び低コスト化が可能になるとともに、液晶表示装置の小型・薄型化を容易に実現することができる。
【００１８】
上記実施の形態に示す液晶パネル１４では、バックライトパネル１６と回路基板１８間を導電ゴムコネクタ２４の一部を利用して電気的に接続するために、液晶パネル１４に第１及び第２給電用中継端子１４３、１４４と、この第１及び第２給電用中継端子１４３、１４４間を接続する透明な配線パターン１４５を設けた場合について説明したが、本発明はこれに限定されず、信号用の配線パターン及びこれに対応する端子を設けることもできる。
このような液晶パネルにおいては、液晶パネルを回路配線用の基板として兼用することができる。
【００１９】
【発明の効果】
以上説明したように本発明によれば、バックライトパネルと回路基板の接続に要する部品の省部品化、低コスト化が可能になるとともに、液晶表示装置の小型・薄型化を容易に実現することができる。
また、本発明の液晶パネルによれば、表示用のパターン以外の信号用または給電用の配線パターン及び該配線パターン用の端子を設ける構成にしたので、液晶パネルを回路配線用の基板に兼用することができる。
【図面の簡単な説明】
【図１】本発明の実施の形態における液晶表示装置の分解斜視図である。
【図２】本発明の実施の形態における液晶表示装置の縦断側面図である。
【符号の説明】
１２  液晶表示装置
１４  液晶パネル
１６  バックライトパネル
１８  回路基板
２０  ホルダー
２２  押え枠
２４  導電ゴムコネクタ
１４１  パターン電極
１４２  表示電極用端子
１４３  第１給電用中継端子
１４４  第２給電用中継端子
１４５  配線パターン
１６１  給電用端子
１８１  給電用ランド
１８２  液晶表示用ランド
２０２  位置決め部材
２４１  導電ゴム層
２４２  電気絶縁ゴム層
【図１】
0003689318.tif 000002
【図２】
0003689318.tif 000003